(57)【要約】【課題】コストおよび重量の増大を最低限に抑えながら、カメラおよびベースステーションが光ケーブルとも３軸ケーブルとも使用するのに適するように、カメラ用およびベースステーション用のビデオ信号送受信器を提供することである。【解決手段】前記課題は、ファイバ光学的ポートと、前記ファイバ光学的ポートで受信された光学的ビデオ信号をベースバンドビデオ信号に変換するための光学的受信器と、復調器の出力端または光学的受信器を該ベースバンドポートのビデオ信号線路に接続するためのスイッチと、前記ファイバ光学的ポートを介して、ベースバンド制御信号から導出された光学的な制御信号を送信するための光学的送信器とを設けることによって解決される。【選択図】図４
2006033848.tif 000002
【特許請求の範囲】
【請求項１】
ビデオ信号送受信器であって、
３軸ポート（１３）と、
ベースバンドポートと、
該３軸ポート（１３）で受信されたＨＦビデオ信号をベースバンドビデオ信号に変換して該ベースバンドポートで出力するための復調器（７５）と、
該ベースバンドポートで受信されたベースバンド制御信号をＨＦ制御信号に変換して該３軸ポート（１３）で出力するための少なくとも１つの変調器（６４，６５）とを有する形式のものにおいて、
ファイバ光学的ポート（１４）と、
前記ファイバ光学的ポート（１４）で受信された光学的ビデオ信号をベースバンドビデオ信号に変換するための光学的受信器（５６）と、
該復調器（７５）の出力端または前記光学的受信器（５６）を該ベースバンドポートのビデオ信号線路に接続するためのスイッチ（５８）と、
前記ファイバ光学的ポート（１４）を介して、該ベースバンド制御信号から導出された光学的な制御信号を送信するための光学的送信器（６９）とを有することを特徴とするビデオ信号送受信器。
【請求項２】
前記光学的送信器（６９）の入力端がＨＦ制御信号を、該少なくとも１つの変調器（６４，６５）から受信する、請求項１記載のビデオ信号送受信器。
【請求項３】
ＨＦ制御信号を該３軸ポート（１３）または光学的送信器（６９）に選択的に入力するためにスイッチ（６２）が設けられている、請求項２記載のビデオ信号送受信器。
【請求項４】
ビデオ信号送受信器であって、
ベースバンドポートと、
３軸ポート（１３’）と、
該ベースバンドポートで受信されたベースバンドビデオ信号をＨＦビデオ信号に変換して該３軸ポート（１３’）で出力するための変調器（２３）と、
該３軸ポート（１３’）で受信されたＨＦ制御信号を第１のベースバンド制御信号に変換して該ベースバンドポートで出力するための少なくとも１つの復調器（３１，３２）とが設けられている形式のものにおいて、
ファイバ光学的ポート（１４）と、
該ベースバンドポートで受信されたベースバンドビデオ信号を光学的ビデオ信号に変換して前記ファイバ光学的ポート（１４’）で送出するための光学的送信器（２２）と、
前記ファイバ光学的ポート（１４’）を介して光学的な制御信号を受信するための光学的受信器（２８）と、
該ベースバンドポートの制御信号線路で、第１のベースバンド制御信号および光学的な制御信号から前記光学的受信器（２８）によって導出された第２のベースバンド制御信号のいずれかを選択的に出力するためのスイッチ（４２，４３）とが設けられていることを特徴とするビデオ信号送受信器。
【請求項５】
前記光学的受信器（２８）からの第２のベースバンド制御信号は、該少なくとも１つの復調器（３１，３２）に入力される、請求項４記載のビデオ信号送受信器。
【請求項６】
ベースバンドビデオ信号を該変調器（２３）または光学的送信器（２２）のいずれかに選択的に入力するためのスイッチ（４１）が設けられている、請求項５記載のビデオ信号送受信器。
【請求項７】
該３軸ポート（１３，１３’）またはファイバ光学的ポート（１４，１４’）に接続された信号源を検出するための信号源検出手段が設けられており、
前記信号源検出手段はスイッチ（４１，４２，４３，５８，６２）を動作させ、ベースバンドポートと３軸ポートおよびファイバ光学的ポートのうち信号が検出された方のポートとの間に信号接続を確立させるために使用される、請求項１から６までのいずれか１項記載のビデオ信号送受信器。
【請求項８】
前記信号源検出手段は、信号が３軸ポート（１３，１３’）およびファイバ光学的ポート（１４，１４’）の双方に検出された場合、該ベースバンドポートと３軸ポートおよびファイバ光学的ポート（１３，１３’，１４，１４’）のうち所定のポートとの間に信号接続を確立するように適合される、請求項７記載のビデオ信号送受信器。
【請求項９】
前記信号源検出手段は、前記ファイバ光学的ポートに接続された光検出器を含んでおり、前記フォトダイオードで受信された平均的な光学的パワーに基づいて、該ファイバ光学的ポート（１４，１４’）に信号が存在するか否かを判定する、請求項７または８記載のビデオ信号送受信器。
【請求項１０】
前記信号源検出手段は、前記ファイバ光学的ポートで受信された変調信号の搬送波を回復するために搬送波検出手段を含んでおり、該搬送波が回復されたか否かに基づいて該ファイバ光学的ポート（１４，１４’）に信号が存在するか否かを判定する、請求項７または８記載のビデオ信号送受信器。
【請求項１１】
前記ファイバ光学的ポート（１４）は、２つの光学的ファイバ線路（２４，２６）を有しており、
第１の光学的ファイバ線路（２４）は、前記光学的受信器（５６）に接続され、
第２の光学的ファイバ線路（２６）は、前記搬送波検出手段に接続される、請求項１および１０記載のビデオ信号送受信器。
【請求項１２】
給電回路（５５）が前記３軸ポート（１３）およびファイバ光学的ポート（１４）の電線路（３５）に接続されていることにより、遠隔の信号源に電力が供給され、
電気的な負荷が前記３軸ポートおよび光学的ポートのうち一方に接続されているか否かを検出するために負荷検出手段が設けられており、
前記負荷検出手段によってスイッチ（５８，６２）が動作し、ベースバンドポートと３軸ポートおよびファイバ光学的ポートのうち負荷が検出された方のポートとの間に信号接続が確立される、請求項１から３までのいずれか１項記載のビデオ信号送受信器。
【請求項１３】
前記負荷検出手段は、前記３軸ポートおよびファイバ光学的ポート双方に信号が検出された場合、該ベースバンドポートと３軸ポートおよびファイバ光学的ポートのうち所定のポートとの間に信号接続を確立するように適合されている、請求項１２記載のビデオ信号送受信器。
【請求項１４】
スイッチ（４１，４２，４３）は、前記３軸ポート（１３’）またはファイバ光学的ポート（１４’）の電線路（３５）に存在する電圧によって動作し、該ベースバンドポートと３軸ポートおよびファイバ光学的ポートのうち電圧が検出された方のポートとの間に信号接続が確立される、請求項４から６までのいずれか１項記載のビデオ信号送受信器。
【請求項１５】
前記スイッチは、該３軸ポート（１３’）およびファイバ光学的ポート（１４’）双方に電圧が存在する場合に該ベースバンドポートと３軸ポートおよびファイバ光学的ポートのうち所定のポートとの間に信号接続を確立するように適合されている、請求項１４記載のビデオ信号送受信器。
【発明の詳細な説明】
【技術分野】
【０００１】
本発明は、伝送線路を使用してビデオ信号を送受信するためのビデオ信号送受信器に関連し、とりわけ、ビデオカメラとベースステーションとの間でビデオ信号および制御信号を伝送するためのビデオ信号送受信器に関連する。
【背景技術】
【０００２】
現在、スタジオおよび電子的なフィルム作品のためのプロ用のテレビジョン放送カメラではベースステーションと通信するために、光ファイバが使用されるか、または３軸ケーブルと称される特別な同軸ケーブルが使用され、１つまたは複数のカメラからのイメージデータが収集および処理される。３軸伝送技術は長い間市場に出回っており、プロ用のビデオカメラを使用する多くの施設、たとえばスポーツスタジアムでは、３軸ケーブルが使用される。これによって、３軸伝送技術を使用してイベントを記録する制作者は、カメラを前記のような施設へ持ち運び、ベースステーションを装備し、カメラとベースステーションとを接続するために、その場所にすでに存在する３軸ケーブルを使用する。
【０００３】
３軸伝送技術において、単一の伝送線路でビデオ信号をカメラからベースステーションへ伝送し、種々の制御信号およびフィードバック信号ならびに動作電力をベースステーションからカメラへ伝送するためには、実に高度かつ高価なインタフェース電子回路を使用しなければならない。高精細度テレビジョン（ＨＤＴＶ）の出現により、カメラとベースステーションとの間の伝送線路の帯域幅をさらに拡大する必要性が高まってきている。３軸ケーブルはもはや、この要求を満たすことはできないと信じられていた。
【０００４】
特に問題であるのは、３軸ケーブルにおける高周波信号成分の減衰である。標準品位テレビジョン信号は３軸ケーブルで約３ｋｍ以上、それほど深刻な品質の劣化を伴わずに伝送することができる。ＨＤＴＶ信号を伝送する際には、それより高い周波数を使用しなければならないので、減衰に起因する品質のロスはさらに明らかになり、使用可能なケーブルの最長は約１５００ｍにまで低減されてしまう。
【０００５】
この問題に関しては、３軸ケーブルを光ファイバに置き換えることが提案されており、カメラインタフェースおよびベースステーションインタフェースはそのために開発されてきた。特にＵＳ２００３／０１１２３３８Ａ１に、次のようなテレビジョン制作システムが開示されている。すなわち、カメラがベースバンドテレビジョン信号を出力し、このベースバンドテレビジョン信号は送受信器で光学的信号に変換され、該送受信器はカメラに取り外し可能に接続され、光ファイバケーブルを使用してベースステーションと通信するように適合されているテレビジョン制作システムが開示されている。
【０００６】
ユーザは、フィールドに設置された光ファイバが不足しているために、この新たな技術を受け入れざるを得なかった。３軸技術を使用する制作者は多くの場所で、予め設置されたケーブルを使用でき、コストおよび人員をかなり削減できるのに対し、光ファイバ技術を使用する者はしばしば、記録プロセスを開始する前に配線を行わなければならない。
【０００７】
このことがユーザをジレンマに陥れる。技術的な観点から見れば、光学的伝送技術は３軸と比較して有利である。というのも光学的伝送技術は、上記のように帯域幅および距離範囲の制約に関して問題がなく、インタフェース回路は３軸用のものよりも簡単であり、ケーブルはより安価であるが、この技術を採用した初期の者たちは、事前設置の光ケーブルが多くの場所で設けられていないことゆえの問題に直面している。
【０００８】
必要な場合に光学的送受信器を代用できる３軸送受信器を追加することにより、ＵＳ２００３／０１１２３３８Ａ１のシステムを補強することが考えられるかもしれない。しかしユーザはその際にも、３軸ケーブルを使用するかまたは光ケーブルを使用するかの選択を自由に行うためには２つの送受信器を入手しなければならない。このことによって、さらに資金が必要になる。さらに、コンポーネントの数ひいてはシステム全体の重量が不所望に増大してしまう。
【特許文献１】ＵＳ２００３／０１１２３３８Ａ１
【発明の開示】
【発明が解決しようとする課題】
【０００９】
本発明の課題は、コストおよび重量の増大を最低限に抑えながら、カメラおよびベースステーションが光ケーブルとも３軸ケーブルとも使用するのに適するように、カメラ用およびベースステーション用のビデオ信号送受信器を提供することである。
【課題を解決するための手段】
【００１０】
前記課題は、ファイバ光学的ポートと、前記ファイバ光学的ポートで受信された光学的ビデオ信号をベースバンドビデオ信号に変換するための光学的受信器と、復調器の出力端または光学的受信器を該ベースバンドポートのビデオ信号線路に接続するためのスイッチと、前記ファイバ光学的ポートを介して、ベースバンド制御信号から導出された光学的な制御信号を送信するための光学的送信器とを設けることによって解決される。
【発明を実施するための最良の形態】
【００１１】
ベースステーション側に関しては前記課題は、次のことを特徴とするビデオ信号送受信器によって解決される。すなわち、３軸ポートと、ベースバンドポートと、該３軸ポートで受信されたＨＦビデオ信号をベースバンドビデオ信号に変換して該ベースバンドポートで出力するための復調器と、該ベースバンドポートで受信されたベースバンド制御信号をＨＦ制御信号に変換して該３軸ポートで出力するための少なくとも１つの変調器とを有している形式のものにおいて、ファイバ光学的ポートと、該ファイバ光学的ポートで受信された光学的ビデオ信号をベースバンドビデオ信号に変換するための光学的受信器と、該複調器の出力端または光学的受信器の出力端を該ベースバンドポートのビデオ信号線路に接続するためのスイッチと、前記ベースバンド制御信号から導出された光学的制御信号を前記ファイバ光学的ポートを介して送信するための光学的送信器とを有することを特徴とするビデオ信号送受信器によって解決される。
【００１２】
送受信器の回路は、該少なくとも１つの変調器によって生成されたＨＦ制御信号が３軸ポートに入力されるだけでなく、光学的送信器にも入力されるように構成すると簡略化される。
【００１３】
変調器と３軸ポートおよび光学的送信器との間で信号反射または別の問題が発生するのを防止するためには、前記ＨＦ制御信号を該３軸ポートまたは光学的送信器に選択的に入力するためのスイッチを設ける。
【００１４】
カメラ側に関しては前記課題は、次のことを特徴とするビデオ信号送受信器によって解決される。すなわち、ベースバンドポートと、３軸ポートと、該ベースバンドポートで受信されたベースバンドビデオ信号をＨＦビデオ信号に変換して該３軸ポートで出力するための変調器と、該３軸ポートで受信されたＨＦ制御信号を第１のベースバンド制御信号に変換して該ベースバンドポートで出力するための少なくとも１つの復調器とを有する形式のものにおいて、ファイバ光学的ポートと、ベースバンドポートで受信されたベースバンドビデオ信号を光学的ビデオ信号に変換して該ファイバ光学的ポートで伝送するための光学的送信器と、該ファイバ光学的ポートを介して光学的制御信号を受信するための光学的受信器と、該ベースバンドポートの制御信号線路で第１のベースバンド制御信号または光学的制御信号から前記光学的受信器によって導出された第２のベースバンド制御信号を選択的に出力するためのスイッチとを有することを特徴とするビデオ信号送受信器によって解決される。
【００１５】
送受信器の回路は、前記第２のベースバンド制御信号が、光学的受信器の出力信号が入力される該少なくとも１つの復調器から得られるように構成すると簡略化される。この場合スイッチは、復調器の入力端を３軸ポートまたは光学的受信器に選択的に接続できるように配、第１の制御信号のフォーマットと同一でなければならない。
【００１６】
ベースバンドポートと光学的送受信器または変調器との間に信号反射または別の問題が発生するのを防止するためには、ベースバンドビデオ信号を前記変調器または光学的送信器に選択的に入力するために別のスイッチが設けられる。
【００１７】
ベースステーション側の送受信器でもカメラ側の送受信器でも、前記３軸ポートまたはファイバ光学的ポートに接続された信号源を検出し、ベースバンドポートと３軸ポートおよびファイバ光学的ポートのうち信号が検出された方のポートとの間に信号接続を確立するようにスイッチを動作させるための信号源検出手段を設けると有利である。このような構成によってユーザは、該送受信器が接続された伝送線路の種類にしたがってスイッチ設定を行うことに煩わされる必要はなくなる。
【００１８】
３軸ポートでも光学的ポートでも信号が検出された場合、両ポートのうち所定の１つが他方に対して優先権を有するように構成すべきである。すなわち、ベースバンドポートと３軸ポートおよび光学的ポートのうち所定のポートとの間の信号接続を確立するように信号検出手段を適合しなければならない。この所定のポートは、有利には光学的ポートである。
【００１９】
第１の簡単な実施形態によれば信号源検出手段は、前記ファイバ光学的ポートに接続された光検出器を有しており、前記フォトダイオードで受光された平均の光学的パワーに基づいて、信号がファイバ光学的ポートに存在するか否かを判定する。
【００２０】
択一的に前記信号源検出手段は、前記ファイバ光ポートで受信された両側波帯変調信号の搬送波を検出するための搬送波検出手段を有しており、搬送波が検出されたか否かに基づいて、ファイバ光ポートに信号が存在するか否かを判定する。この種類の信号源検出は、パワー検出に基づくだけの信号源検出より信頼性が高い。さらに、この種類の信号源検出を実施するのは経済的である。というのも、このような搬送波検出手段は受信信号を復調するために必要とされるので、通常はいずれにしても既存になっているからである。
【００２１】
このような場合、ベースステーション送受信器の光学的ポートは、有利には２つのファイバ線路を有する。このうち第１のファイバ線路は前記光学的受信器に接続されており、第２のファイバ線路は前記搬送波検出手段に接続されている。これによって、第１のファイバ線路でデータ伝送を行うために、適切なフォーマットであればどのフォーマットでも使用することができ、両側帯波変調形式に限定されることはない。
【００２２】
ベースステーション送受信器では通常、電源回路が前記３軸ポートおよび前記ファイバ光ポートの電線路に接続されており、これによって遠隔の信号源へ電力が供給される。このようなベースステーション送受信器には、電気的な負荷が前記３軸ポートおよび光学的ポートのうち１つに接続されているか否かを検出するために負荷検出手段を設けることができる。この負荷検出手段はスイッチを動作させるのに使用され、これによってベースバンドポートと３軸ポートおよびファイバ光ポートのうち負荷が検出された方との間に信号接続が確立される。
【００２３】
同様に、カメラ送受信器でもスイッチは、前記３軸ポートまたはファイバ光ポートの電線路に存在する電圧によって動作し、これによって、ベースバンドポートと３軸ポートおよびファイバ光ポートのうち電圧が検出された方との間に信号接続が確立される。
【００２４】
本発明の別の構成および利点は、本発明の以下の実施形態の説明から添付図面を参照にして理解できる。
【実施例】
【００２５】
図１において、参照番号１〜３は異なる種類のビデオカメラを示しており、５は異なるカメラからのビデオ信号を接続および処理するためのベースステーションを示しており、６，８は３軸ケーブルであり、７はファイバ光学的ケーブルである。各ベースステーション５はベースバンドビデオ信号に対する任意の数ｎの入力チャネルを有しており（図１の例ではｎ＝３）、各入力チャネルは、本発明によるビデオ信号送受信器１０，１１，１２に接続されている。各送受信器１０，１１，１２は３軸入力ポート１３およびファイバ光学的入力ポート１４を有しており、これらによって、ケーブル６，７または８からそれぞれＨＦ変調ビデオ信号が受信される。
【００２６】
カメラ３は、３軸出力ポート１３’のみを有する従来のビデオカメラであり、この３軸ポート１３’は３軸ケーブル８を介してベースステーション５に接続される。この３軸ケーブル８は、スポーツスタジアム等の所与の場所に現地に設置されたケーブルであり、このような所与の場所は、破線の矩形によって概略的に表されている。
【００２７】
カメラ２は、ファイバ光学的ケーブル７によってベースステーション５に接続するためのファイバ光学的出力ポート１４’のみを有する従来のビデオカメラである。このファイバ光学的ケーブル７は、その場所に事前に設置されている場合があり、事前に設置されていない場合もある。
【００２８】
両カメラはベースステーション５とともに使用することができる。というのも、ベースステーション５のビデオ送受信器１０，１１，１２は両種類のケーブルとも両立性を有するからである。
【００２９】
カメラ１は、本発明によるビデオ送受信器１６を有しており、このビデオ送受信器１６は、ベースステーション５と通信するための３軸ポート１３’およびファイバ光学的ポート１４’を有する。３軸ケーブルが設置された場所１５で使用される場合、これらのポートを使用することができる。事前設置されたケーブルが設けられていない屋外では、カメラ１は有利には、光学的ケーブルによってベースステーション５に接続される。この光学的ケーブルの重量は３軸ケーブルより軽く、光学的ケーブルの距離範囲の制限は３軸ケーブルより低い。
【００３０】
図２は、カメラ１のビデオインタフェースユニット１６の構造の概略を示している。カメラ１の図示されていないカメラヘッドからデジタルシリアライザ２１が、該カメラヘッドによって記録された画像の輝度信号および色信号［Ｙ］、［Ｒ−Ｙ］、［Ｂ−Ｙ］を受信し、これらをデジタルデータのシーケンスに変換する。このデジタルデータは変調信号として、単一の線路でレーザ２２または周波数変換器２３のいずれかへ、第１のスイッチ４１を介して伝送される。このシリアル変換されたデータによって変調されたレーザ２２からのコヒーレント光が、第１の光学的ファイバ２４を介してファイバ光学的ポート１４’で出力される。
【００３１】
ポート１４’は第２の光学的ファイバ２６を有しており、この光学的ファイバ２６は双方向で動作し、波長分割マルチプレクサ２７に接続されている。この波長分割マルチプレクサ２７は、ファイバ２６を介して受信された１３１０ｎｍの波長の光学的信号を、フォトダイオード２８へ送出する。フォトダイオード２８からの電気的出力信号は、利得制御型増幅器２９を通過する。この電気的出力信号２９は所定の出力レベルに調整され、フィルタ３０に到達し、テレプロンプタ信号を含む高周波成分が第２のスイッチ４２を介して伝送される。フィルタ３０の出力信号およびスイッチ４２からのテレプロンプタ信号は別個に、所属のバンドフィルタおよびＡＭ復調器へ供給され、これによってベースバンドに変換され、カメラヘッドへ供給される。バンドフィルタおよびＡＭ復調器は、図２ではボックス３１によって示されている。増幅器２９からの電気的出力信号の低周波成分が、フィルタ３０によって第３のスイッチ４３を介してＦＭ復調器３２に入力され、このＦＭ復調器３２は種々の制御データと、この低周波成分に符号化されたオーディオ信号とビューファインダ信号とをカメラヘッドへ供給する。
【００３２】
逆にカメラヘッドからの制御データおよびオーディオ信号は、それぞれＦＭ変調器において電気的な搬送波に重畳される。図２のボックス３３は、この目的のために５つのＦＭ変調器および１つの加算増幅器を含んでいる。変調器３３の出力端は第４のスイッチ４４を介してレーザ３４へ接続される。このレーザ３４は１５５０ｎｍで動作し、該レーザ３４の光学的出力を変調するために使用される。マルチプレクサ２７は、この変調された光学的信号を第２のファイバ２６へ送出する。
【００３３】
ＤＳＢ（側波帯（Double Side Band））変調器２３の出力端は３軸ポート１３’に、第１のフォーク３８およびＨＰ／ＬＰ３９を介して接続されている。ＨＰ／ＬＰフィルタ３９の機能は、ポート１３’に接続された３軸ケーブル６とフォーク３８との間で高周波信号を双方向に伝送し、低周波成分をケーブル６と第２のフォーク４０との間で伝送することである。さらに、第１のフォーク３８はＡＭ復調器３１にも接続されているので、スイッチ４２が相応にセットされている場合、この復調器３１はフィルタ３０からではなくフォーク３８から入力信号を受信する。同様に第２のフォーク４０は、スイッチ４３、４４を介してＦＭ復調器３２およびＦＭ変調器３３に接続されており、前者は復調すべき信号をフィルタ３０からではなくフォーク４０から受信し、後者の変調された出力信号はレーザ３４ではなくフォーク４０に入力される。
【００３４】
図３は、３軸ケーブル６で伝送される双方向信号のスペクトラムを示している。図の上部は、カメラからベースステーションへの「アップリンク」伝送に相応し、下部は、ベースステーションからカメラへの「ダウンリンク」伝送に相応する。５ＭＨｚを下回る周波数範囲の場合、デジタル制御信号およびオーディオ信号は双方向で伝送される。１１ＭＨｚの搬送周波数を中心とする周波数帯が、ビューファインダ信号をカメラへ伝送するために使用され、このビューファインダ信号は復調器３２で復調される。２０〜１３０ＭＨｚの間の周波数範囲は、周波数変調器２３の出力をベースステーションへ伝送するために使用される。この周波数範囲には２つの周波数帯が存在する。一方の周波数帯は５６ＭＨｚの搬送周波数を中心としており、輝度情報［Ｙ］が符号化されたＤＳＢ変調信号を含んでいる。他方の周波数帯は１１２ＭＨｚを中心としており、直角変調された色情報［Ｒ−Ｙ］、［Ｂ−Ｙ］を含んでいる。１５６ＭＨｚ搬送波を中心とする周波数帯は、テレプロンプタ信号に相応する。
【００３５】
光学的ケーブルでは、ファイバ２６は２つの逆伝播光波（counter-propagating light wave）を異なる波長で伝達する。ダウンリンクの光波は、０〜５ＭＨｚのダウンリンク成分によって変調された強度、図３に示されたビューファインダ信号およびテレプロンプタ信号であるから、ダウンリンク光波がフォトダイオード２８および増幅器２９によって電気的信号に逆変換された後、前記異なる信号成分は復調器３１および３２で、３軸信号の相応の成分とちょうど同じように処理される。
【００３６】
スイッチ４１〜４４を制御するためには、種々の択一的な手段が存在する。第１の択一的手段によれば、図示されていない制御回路が、フォトダイオード２８の平均的な出力パワーレベルを検出する。パワーレベルが所定の閾値を上回る場合、光学的ケーブルがポート１４’に接続されていると判定され、スイッチは図２に示されたような位置をとるように制御される。このようにして、ファイバ線路２６を介して受信された制御信号が処理され、シリアル変換されたビデオ信号がファイバ２４に出力される。そうではなくてケーブルがポート１４’に接続されていない場合、スイッチはそれぞれ別の位置におかれ、３軸ポート１３’との通信が行われる。
【００３７】
第２の択一的手段によれば、制御回路は利得制御型増幅器２９の出力端に接続されており、所定の周波数の搬送波が該利得制御型増幅器２９からの出力信号で回復できるか否かを検出する。回復できる場合、スイッチは図２に示された位置をとるように制御され、回復できない場合、該スイッチはそれぞれの別の位置をとるように制御され、ポート１３’を介しての通信が可能になる。
【００３８】
ポート１４’はさらに、変換回路３６へ電力を供給するための電線路３５も有している。この変換回路３６は適切な動作電圧を、インタフェースユニットおよびカメラヘッドの種々のコンポーネントに供給する。択一的に、変換回路は３軸ポート１３’から、ＨＰ／ＬＰフィルタ３９を介して電力を受け取ることができる。
【００３９】
第３の択一的手段によれば、制御回路は単なるリレー等である。これは、電線路３５に接続されており、給電電圧が電線路３５に存在する間、スイッチ４１〜４４を図２の位置に維持する。
【００４０】
図４は、ベースステーション５のビデオ信号送受信器１０，１１または１２のブロック図である。ファイバ光学的ポート１４は２つのファイバ光学的線路２４，２６および１つの電線路３５を有しており、これらはそれぞれ、同じ番号が付与されたカメラ側のポート１４’の線路に相応してファイバ光学的ケーブル７によって接続される。電線路３５は、ファイバ光学的ケーブル７の他方の端部に配置されたカメラに動作電力を供給するため、給電回路５５に接続されている。第１のファイバ光学的線路２４は単方向線路であり、ビデオ信号によって変調された光学的搬送波を受信するために使用される。これは光学的受信器５６によって受信されてデジタル信号列に変換され、このデジタル信号列でビデオ信号の輝度成分および色成分はシリアル伝送される。カメラヘッドによってシリアライザ２１に供給されたのと同じフォーマットで輝度成分［Ｙ］および２つの色成分［Ｒ−Ｙ］、［Ｂ−Ｙ］を回復するためのデシリアライザ５７が、スイッチ５８によって受信器５６に接続される。
【００４１】
第２の光学的ファイバ２６が図４のインタフェースユニットで接続される回路は実質的に、図２に示されたものに相応する。ファイバ２６に直接接続された波長分割マルチプレクサ５９が設けられており、この波長分割マルチプレクサ５９は、ファイバ２６から受信された信号を１５５０ｎｍの波長でフォトダイオード６０へ送出し、ここで該信号は電気的信号に変換される。この電気的信号は自動利得制御型増幅器６１で増幅され、この自動利得制御型増幅器６１の出力端は、スイッチ６２を介してＦＭ復調器６３に接続される。このＦＭ復調器６３で、該電気的信号で符号化されたオーディオ信号および制御信号はベースバンドに復調され、ベースステーション５へ出力される。
【００４２】
ＡＭ変調器６４およびＦＭ変調器６５は、ビューファインダ信号、テレプロンプタ信号、およびベースステーション５からの種々の制御信号を電気的な搬送波に重畳して、２つはＡＭ変調され５つはＦＭ変調され、スイッチ６６，６７を介してＨＰ／ＬＰフィルタ６８によって受信される。これらはスーパーインポーズされて、変調信号としてレーザ６９へ供給され、該レーザ６９の変調された出力は、マルチプレクサ５９を介してファイバ２６へ供給される。
【００４３】
３軸ポート１３には、フォーク７２，７３を有するＨＰ／ＬＰフィルタ７１が設けられている。この機能は、図２のコンポーネント３８〜４０の機能に対して相補的になっている。ＨＰ／ＬＰフィルタ７１は、電力を給電回路５５から受け取り、これを３軸ポート１３で、該３軸ポート１３に接続されたカメラのための動作電力として出力する。
【００４４】
フィルタ７１は、３軸ポート１３で受信された信号から輝度成分および色成分を抽出し、フォーク７２を介して該輝度成分および色成分を受信部へ送出する。受信部では補助受信器７４が、輝度バンドおよび色バンドの搬送波を回復し、これらを復調器７５に供給する。この復調器７５は、ベースバンド輝度信号およびベースバンド色信号を回復する。シリアライザ７６はこれらのデータを、光学的受信器５６によって出力されたフォーマットと同様のフォーマットで配列し、スイッチ５８へ供給する。復調器７５によって出力されたベースバンドビデオ信号から水平方向および垂直方向の同期情報を抽出し、Ｈ‐Ｖロック信号を供給するため、同期エンコーダ７７が設けられている。この信号または光学的受信器５６からの同様の信号のいずれかが、ベースステーションへスイッチ７８を介して供給される。
【００４５】
カメラ送受信器の場合と同様に、スイッチ５８，６２，６６，６７，７８は自動的に、制御回路によって制御される。この制御回路はここには図示されていない。第１の択一的手段によれば、制御回路はフォトダイオード６０の出力端に接続されており、出力信号の平均レベルに基づいて、信号源がファイバ光学的ポート１４に存在するか否かを検出する。光学的受信器５６のフォトダイオードの平均的な出力レベルに基づいて、同様の判定を行うことができる。
【００４６】
択一的に制御回路は、増幅器６１の出力から搬送波を回復できるか否かに基づいて信号源の有無を判定するように適合される。
【００４７】
別の択一的手段は、Ｈ‐Ｖロック信号が光学的受信器５６または同期エンコーダ７７によって出力されたか否かに基づいて信号源の有無を判定することである。
【００４８】
最後に制御回路は、電気的な負荷が３軸ポート１３で感知されたか否かに基づいて信号源の有無を判定するように構成することができる。
【００４９】
スイッチ５８，６２，６６，６７，７８がデフォルト設定される場合、デシリアライザ５７は光学的受信器５６に接続され、復調器６３は増幅器６１に接続され、変調器６４〜６５はＨＰ‐ＬＰフィルタ６８に接続され、ファイバ光学的ポート１４を介して通信が行われる。信号源が３軸ポート１３に存在すると肯定的に検出されると同時にファイバ光学的ポート１４で信号源が検出されない場合、スイッチはそれぞれ別の位置をとり、３軸ポート１３を介して通信が開始される。
【図面の簡単な説明】
【００５０】
【図１】本発明が適用されるＴＶ制作システムのブロック回路図である。
【図２】カメラ用のインタフェースユニットのブロック回路図である。
【図３】３軸ケーブル上のＨＤＴＶ信号のスペクトラムを表す概略図である。
【図４】ベースステーション用のインタフェースユニットのブロック回路図である。
【符号の説明】
【００５１】
１〜３      異なる種類のビデオカメラ
５          ベースステーション
６，８      ３軸ケーブル
７          ファイバ光学的ケーブル
１０〜１２  送受信器
１３，１３’３軸入力ポート
１４，１４’ファイバ光学的入力ポート
１６        ビデオインタフェースユニット
２１        デジタルシリアライザ
２２        レーザ
２３        周波数変換器
２４        第１の光学的ファイバ
２６        第２の光学的ファイバ
２７        波長分割マルチプレクサ
２８        フォトダイオード
２９        利得制御型増幅器
３０        フィルタ
３１        バンドフィルタおよびＡＭ復調器
３２        ＦＭ復調器
３３        ５つのＦＭ変調器および１つの加算増幅器
３４        レーザ
３５        変換回路３６へ電力を供給するための電線路３５
３６        変換回路
５５        カメラに動作電力を供給するための給電回路
５６        光学的受信器
５７        デシリアライザ
５８，６２，６６，６７，７８  スイッチ
５９        波長分割マルチプレクサ
６０        フォトダイオード
６１        増幅器
６４〜６５  変調器
６８        ＨＰ／ＬＰフィルタ
６９        レーザ
７１        ＨＰ／ＬＰフィルタ
７２，７３  フォーク
７４        補助受信器
７５        復調器
７６        シリアライザ
７７        同期エンコーダ
【図１】
2006033848.tif 000003
【図２】
2006033848.tif 000004
【図３】
2006033848.tif 000005
【図４】
2006033848.tif 000006